【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】
ネットワークを介して接続されたクライアントから送信されたデータに基づいて地図情報を作成して前記クライアントに前記地図情報を出力するサーバを備えた地図情報システムであって、
前記サーバが、地図データを記憶する地図データベースと、統計データを記憶する統計データベースとを備え、クライアントから送信された識別番号と住所を地図上に表示可能な位置データに変換して前記クライアントに前記識別番号に対応付けて返信する第１の処理と、任意のクライアントから送信された前記識別番号に対応付けられた位置データと、前記クライアントによって選択された地図データ及び統計データとを合成して、前記選択された地図上に前記統計データと前記位置データとを重ねて表示する地図情報を作成し、前記クライアントに前記作成された地図情報を出力する第２の処理とを行うサーバであることを特徴とする地図情報システム。
【請求項２】
位置データが、行政コードと緯度・経度データのいずれか又は両方を備えていることを特徴とする請求項１記載の地図情報システム。
【請求項３】
地図データベースが、メッシュ地図データと、町丁目地図データと、郵便番号地図データのいずれか又は全てを含んでいる地図データベースであることを特徴とする請求項１又は請求項２記載の地図情報システム。
【請求項４】
統計データベースが、国勢調査のデータと、商業統計のデータとを備えている統計データベースであることを特徴とする請求項１乃至請求項３記載の地図情報システム。
【請求項５】
地図データベースが、行政界の変更履歴を記憶しており、統計データベースが、国勢調査のデータを調査年度毎に記憶していることを特徴とする請求項４記載の地図情報システム。
【請求項６】
第１の処理における識別番号が、顧客の識別番号であり、クライアントにおいて当該識別番号と顧客の住所が対応付けられて記憶されており、
前記クライアントは、前記住所に基づいて第２の処理において変換された位置データを前記識別番号に対応して記憶することを特徴とする請求項１乃至５のいずれか記載の地図情報システム。
【請求項７】
サーバが、クライアントから定期的に送信される位置データ変換要求を受信すると、前記位置データ変換要求に含まれる住所について第１の処理を行うサーバであることを特徴とする請求項１乃至請求項６のいずれか記載の地図情報システム。
【請求項８】
サーバが、クライアントから随時送信される地図情報表示要求を受信すると第２の処理を行うサーバであることを特徴とする請求項１乃至請求項７のいずれか記載の地図情報システム。
【請求項９】
サーバが、第２の処理において、選択された顧客の識別番号に対応する位置データと共に、前記識別番号に対応してクライアントで記憶されている顧客の属性データと、前記属性データを絞り込む条件を受信し、前記条件に従って前記識別番号毎に前記属性データを集計して、前記条件を満たす識別番号を抽出し、前記抽出された識別番号に対応する位置データを用いて、地図情報を作成するサーバであることを特徴とする請求項６乃至請求項８のいずれか記載の地図情報システム。
【請求項１０】
サーバが、第２の処理において、条件に従って識別番号毎に属性データを集計して、前記条件を満たす識別番号を抽出し、前記抽出された識別番号に対応する位置データと統計データベースにおける統計データとを用いて、地図情報を作成するサーバであることを特徴とする請求項９記載の地図情報システム。
【請求項１１】
サーバが、第２の処理において、顧客の識別番号に対応してクライアントで記憶されている顧客の属性データを絞り込む条件に従って選択された顧客の識別番号に対応する位置データを受信し、当該位置データを用いて、地図情報を作成するサーバであることを特徴とする請求項６乃至請求項８のいずれか記載の地図情報システム。
【請求項１２】
サーバが、地図情報を作成すると、クライアントにセッション番号を付して前記地図情報を出力すると共に、前記地図情報とセッション番号とを対応付けて記憶しておき、任意のクライアントからセッション番号を付した地図情報表示要求を受信した場合に、前記セッション番号の付与から一定時間以内であれば前記セッション番号に対応する地図情報を前記クライアントに出力するサーバであることを特徴とする請求項８乃至請求項１１のいずれか記載の地図情報システム。
【請求項１３】
サーバが、セッション番号の付与から一定時間が経過した場合に、前記セッション番号に対応して記憶されている地図情報を消去することを特徴とする請求項１２記載の地図情報システム。
【請求項１４】
ネットワークを介して接続されるクライアントを備え、当該クライアントは、顧客の識別番号と位置データとを対応付けて記憶する第１の記憶部と、顧客の識別番号と顧客の属性データとを対応付けて記憶する第２の記憶部と備え、顧客の属性データを絞り込む条件に従って前記第２の記憶部から該当する顧客の識別番号に対応する位置データを選択し、当該位置データをサーバに送信するクライアントであることを特徴とする請求項１乃至１３のいずれか記載の地図情報システム。
【請求項１５】
ネットワークを介して接続されるクライアントを備え、当該クライアントに複数の端末が接続する場合、当該クライアントが、地図情報表示要求を行った端末の情報と対応付けて記憶し、サーバから出力された地図情報を前記対応する端末に出力するクライアントであることを特徴とする請求項１乃至１４のいずれか記載の地図情報システム。
【請求項１６】
クライアントが、サーバから出力された地図情報とセッション番号を受信すると、当該地図情報に対する地図情報表示要求を行った端末の情報と対応付けて記憶すると共に、当該地図情報を前記端末に出力し、前記端末から前記地図情報に対する地図情報表示要求を受けると、当該地図情報表示要求に対応付けて記憶されるセッション番号を付して前記サーバに送信するクライアントであることを特徴とする請求項１５記載の地図情報システム。
【請求項１７】
クライアントが、特定の地図情報表示要求、地図の名称及びアクセス可能な端末を対応付けて記憶する対応テーブルを備え、端末から地図の名称の指定があると、前記対応テーブルを参照して当該端末が前記地図の名称に対応する地図情報にアクセス可能であるか否かを判断し、アクセス可能であれば対応する地図情報表示要求を前記対応テーブルから読み出してサーバに送信し、前記サーバから出力された当該地図情報表示要求に対応した地図情報を指定のあった端末に表示出力するクライアントであることを特徴とする請求項１５又は１６記載の地図情報システム。
【請求項１８】
クライアントが、地図の名称で特定される地図情報表示要求をサーバに定期的に送信し、前記サーバから出力された当該地図情報表示要求に対応した地図情報とセッション番号を受信すると、前記セッション番号と地図の名称とを対応付けて記憶する記憶部を備え、
端末から地図の名称の指定があると、前記記憶部に前記地図の名称に対応付けて前記端末の識別子を記憶させ、前記地図の名称に対応するセッション番号を前記サーバに送信し、前記サーバから受信した地図情報を前記セッション番号に対応する端末に表示出力するクライアントであることを特徴とする請求項１６記載の地図情報システム。
【手続補正２】
【補正対象書類名】明細書
【補正対象項目名】００１０
【補正方法】変更
【補正の内容】
【００１０】
【課題を解決するための手段】
上記従来例の問題点を解決するための本発明は、ネットワークを介して接続されたクライアントから送信されたデータに基づいて地図情報を作成してクライアントに地図情報を出力するサーバを備えた地図情報システムであって、サーバが、地図データを記憶する地図データベースと、統計データを記憶する統計データベースとを備え、クライアントから送信された識別番号と住所を地図上に表示可能な位置データに変換してクライアントに識別番号に対応付けて返信する第１の処理と、任意のクライアントから送信された識別番号に対応付けられた位置データと、クライアントによって選択された地図データ及び統計データとを合成して、選択された地図上に統計データと位置データとを重ねて表示する地図情報を作成し、クライアントに作成された地図情報を出力する第２の処理とを行うサーバであることを特徴とする地図情報システムとしており、第１の処理によって変換された位置データを識別番号に対応付けてクライアントが記憶しておき、地図情報を表示したい場合にクライアントが位置データを読み出してサーバに送信すれば、第２の処理によって選択した地域の地図上に、統計データと送信した位置データとが重なった地図情報が作成されてクライアントにおいて表示することができ、サーバが各クライアント毎に膨大な量の位置データを記憶する必要がなくなり、システム構築及び地図情報作成の処理を簡易にすることができると共に、クライアントが管理する住所のデータをサーバに記憶しなくて済むためクライアント側のデータの安全性を向上させることができる。
【手続補正３】
【補正対象書類名】明細書
【補正対象項目名】００１４
【補正方法】変更
【補正の内容】
【００１４】
また、本発明は、上記地図情報システムにおいて、第１の処理における識別番号が、顧客の識別番号であり、クライアントにおいて当該識別番号と顧客の住所が対応付けられて記憶されており、クライアントは、前記住所に基づいて第２の処理において変換された位置データを前記識別番号に対応して記憶することを特徴とする地図情報システムとしており、第１の処理において、顧客の個人情報である住所のデータや、住所を容易に特定できる位置データをサーバに渡さずに済み、顧客の個人情報の安全性を向上させることができ、また、顧客の住所を反映させた地図情報を表示させて、セールス情報の分析や販売促進戦略等に活用することができる。
【手続補正４】
【補正対象書類名】明細書
【補正対象項目名】００１５
【補正方法】削除
【補正の内容】
【手続補正５】
【補正対象書類名】明細書
【補正対象項目名】００１８
【補正方法】変更
【補正の内容】
【００１８】
また、本発明は、上記地図情報システムにおいて、サーバが、第２の処理において、選択された顧客の識別番号に対応する位置データと共に、識別番号に対応してクライアントで記憶されている顧客の属性データと、属性データを絞り込む条件を受信し、条件に従って識別番号毎に属性データを集計して、条件を満たす識別番号を抽出し、抽出された識別番号に対応する位置データを用いて、地図情報を作成するサーバである地図情報システムとしており、クライアントで複雑な集計処理を行わなくても、処理能力の高いサーバで属性データを集計して所望の条件に合う顧客を抽出することができ、目的に応じてターゲットとなる顧客を絞り込んだ地図情報を迅速に表示することができる。
【手続補正６】
【補正対象書類名】明細書
【補正対象項目名】００２１
【補正方法】変更
【補正の内容】
【００２１】
また、本発明は、上記地図情報システムにおいて、ネットワークを介して接続されるクライアントを備え、当該クライアントは、顧客の識別番号と位置データとを対応付けて記憶する第１の記憶部と、顧客の識別番号と顧客の属性データとを対応付けて記憶する第２の記憶部と備え、顧客の属性データを絞り込む条件に従って第２の記憶部から該当する顧客の識別番号に対応する位置データを選択し、当該位置データをサーバに送信するものであり、顧客の属性データを充分に分析した上で、地図情報の表示を行わせることができる。
【手続補正７】
【補正対象書類名】明細書
【補正対象項目名】０１２８
【補正方法】変更
【補正の内容】
【０１２８】
【発明の効果】
本発明によれば、サーバが、地図データを記憶する地図データベースと、統計データを記憶する統計データベースとを備え、クライアントから送信された識別番号と住所を地図上に表示可能な位置データに変換してクライアントに識別番号に対応付けて返信する第１の処理と、任意のクライアントから送信された識別番号に対応付けられた位置データと、クライアントによって選択された地図データ及び統計データとを合成して、選択された地図上に統計データと位置データとを重ねて表示する地図情報を作成し、クライアントに作成された地図情報を出力する第２の処理とを行うサーバであることを特徴とする地図情報システムとしており、第１の処理によって変換された位置データを識別番号に対応付けてクライアントが記憶しておき、地図情報を表示したい場合にクライアントが位置データを読み出してサーバに送信すれば、第２の処理によって選択した地域の地図上に、統計データと送信した位置データとが重なった地図情報が作成されてクライアントにおいて表示することができ、サーバが各クライアント毎に膨大な量の位置データを記憶する必要がなくなり、システム構築及び地図情報作成の処理を簡易にすることができると共に、クライアントが管理する住所のデータをサーバに記憶しなくて済むためクライアント側のデータの安全性を向上させることができる効果がある。
【手続補正８】
【補正対象書類名】明細書
【補正対象項目名】０１３２
【補正方法】変更
【補正の内容】
【０１３２】
また、本発明によれば、上記地図情報システムにおいて、第１の処理における識別番号が顧客の識別番号であり、クライアントにおいて当該識別番号と顧客の住所が対応付けられて記憶されており、クライアントは、第２の処理で住所に基づいて変換された位置データを識別番号に対応して記憶する地図情報システムとしているので、第１の処理において、顧客の個人情報である住所のデータや、住所を容易に特定できる位置データをサーバに渡さずに済み、顧客の個人情報の安全性を向上させることができ、また、顧客の住所を反映させた地図情報を表示させて、セールス情報の分析や販売促進戦略等に活用することができる効果がある。
【手続補正９】
【補正対象書類名】明細書
【補正対象項目名】０１３３
【補正方法】削除
【補正の内容】
【手続補正１０】
【補正対象書類名】明細書
【補正対象項目名】０１３６
【補正方法】変更
【補正の内容】
【０１３６】
また、本発明によれば、上記地図情報システムにおいて、サーバが、第２の処理において、選択された顧客の識別番号に対応する位置データと共に、顧客の属性データと、属性データを絞り込む条件を受信して、条件に従って属性データを集計して、条件を満たす識別番号に対応する位置データ又は／及び統計データを用いて地図情報を作成するサーバである地図情報システムとしているので、クライアントで複雑な集計処理を行わなくても、処理能力の高いサーバで属性データを集計して所望の条件に合う顧客を抽出することができ、目的に応じてターゲットとなる顧客を絞り込んだ地図情報を迅速に表示することができる効果がある。
【手続補正１１】
【補正対象書類名】明細書
【補正対象項目名】０１３９
【補正方法】変更
【補正の内容】
【０１３９】
また、本発明によれば、ネットワークを介して接続されるクライアントを備え、当該クライアントは、顧客の識別番号と位置データとを対応付けて記憶する第１の記憶部と、顧客の識別番号と顧客の属性データとを対応付けて記憶する第２の記憶部と備え、顧客の属性データを絞り込む条件に従って第２の記憶部から該当する顧客の識別番号に対応する位置データを選択し、当該位置データをサーバに送信する上記地図情報システムとしているので、顧客の属性データを充分に分析した上で、地図情報の表示を行わせることができる効果がある。